Podtech/llm-jp-corpus-v4-ja_patent huggingface dataset:
(57)【要約】【課題】  手袋に、ファッションまたは個性を楽しむ装着品としての機能も持ち合わせた手袋を提供するものであり、使用目的に適合したデザイン、または利用者の好みのデザインが自由に作成可能であり、使用者個人だけのオリジナル性を主張できる手袋を提供することを目的とする。【解決手段】  手袋本体１の手首部分および甲部分に少なくともひとつ以上の接着部２を形成し、手袋本体１とは別体からなる着脱可能な締付けバンド部３に、上記接着部２と貼り合せて固定する接着手段を設けて、手袋の使用目的に応じ締付けバンドの形状を自由にデザインできることを特徴とする手袋。【選択図】      図１
0003120909.tif 000002
【実用新案登録請求の範囲】
【請求項１】
手袋本体の手首部分および甲部分に少なくともひとつ以上の接着部を形成し、手袋本体とは別体からなる着脱可能な締付けバンド部に、上記接着部と貼り合せて固定する接着手段を設けて、手袋の使用目的に応じ締付けバンドの形状を自由にデザインできることを特徴とする手袋。
【請求項２】
着脱可能な締付けバンド部表面に使用者本人を識別するマーク、文字、写真、ワッペン、アクセサリーを表示または取付けることにより、オリジナル性を持たせたことを特徴とする請求項１記載の手袋。
【請求項３】
着脱可能な締付けバンド部を使用者の好みの外形形状にすることによりファッション性を持たせたことを特徴とする請求項１記載の手袋。
【考案の詳細な説明】
【技術分野】
【０００１】
本考案は、手袋のオリジナル・ファッション性に関する。
【背景技術】
【０００２】
パーティー用手袋において手の甲部分のリボン・造花等の装飾品が取外し可能でパーティードレスとのコーディネートを合わせるものはあった（例えば、特許文献１参照。）。またゴルフ用手袋において締付けバンド部にワッペンを取付けでき、そのワッペンを取り替えられるものもあったが、締付けバンド部は着脱不可能であった（例えば、特許文献２参照。）。取り替えられるアイテムも、パーティー用手袋においては、装飾品であるリボン・造花等のみである。またゴルフ用手袋においても、取り替えられるアイテムは、形・寸法の同じワッペンのみであり、形状のバリエーションは限定される。
【０００３】
締付けバンド部を着脱可能にすることにより、手袋としての機能を失わず、尚且つその着脱可能な締付けバンド部の形状を使用者が自由にデザインできる手袋は無かった。
【０００４】
【特許文献１】特開平０９−３１６７１４号公報
【特許文献２】実開平０３−１２２８７７号公報
【考案の開示】
【考案が解決しようとする課題】
【０００５】
従来の手袋にある防寒用、スポーツ用、作業用としての機能だけではなく、ファッションまたは個性を楽しむ装着品としての機能も持ち合わせた手袋を提供するものであり、使用目的に適合したデザイン、または利用者の好みのデザインが自由に作成可能であり、使用者個人だけのオリジナル性を主張できる手袋を提供することを目的とする。
【課題を解決するための手段】
【０００６】
上記目的を達成するため、本考案は手袋手首部分または甲部分の適当な箇所にひとつ以上の接着部を形成し、その部分に上記接着部と互いに貼り合わせて固定する接着手段を設けた着脱可能な締付けバンドを、自在に該接着部に貼着して、使用者の手首部分を固定できるように構成する。
【０００７】
また上記締付けバンド部表面に使用者本人を識別するマーク、文字、写真、ワッペン、アクセサリーを表示または取付けることにより、オリジナル性を持たせる。また、上記締付けバンド部を使用者の好みの外形形状にすることによりファッション性を持たせる。
【考案の効果】
【０００８】
上述したように本考案の手袋は、手袋本体部と着脱可能な締付けバンド部の２つで構成することにより、締付けバンド部の形状を自由にデザインでき、ファッション性・オリジナル性を持たせ、アイデンティティーを主張でき使用者を満足させることができる。
【０００９】
また、使用者が任意にデザインした着脱可能な締付けバンド部を複数所有することにより、周囲環境の違いに応じて適宜に着脱可能な締付けバンドを取替えて使用することができる。そして、手袋本体部が破損して使用不可になった場合でも、着脱可能な締付けバンド部が破損しなければ、手袋本体部のみを交換するだけで、着脱可能な締付けバンド部は再利用できるので、経済的な効果もある。
【実施例】
【００１０】
以下、本発明の上記またはその他の目的、特徴、実施の形態を実施例、および図に基づいて説明する。
【００１１】
図１に示すように、本考案の手袋における着脱可能な締付けバンド部構造は、主として手袋本体部１と、マジックテープ（登録商標）・ホック・磁石・ボタンのいずれか、または複数により構成される接着部２、そして着脱可能な締付けバンド部３とで構成される。
【００１２】
着脱可能な締付けバンドの背面には図２に示すように、上記接着部２に貼着する接着部２を形成する。
【００１３】
上記手袋本体側接着部２に着脱可能な締付けバンド３の背面接着部２を貼着固定することにより、使用者の手首部を固定し手に密着することができる。そして、この締付けバンド部が着脱可能である構造から、着脱可能な締付けバンド部３を使用者の好みで任意にデザインできることにより、ファッション性、オリジナル性あふれる多様な表示効果を上げることができる。
【００１４】
すなわち、着脱可能な締付けバンド部３に、使用者本人の写真４を印刷あるいは印刷したものを縫い付けることにより、使用者オリジナルの手袋を提供することができる。その他写真以外でもマーク・文字等の個人を識別できる表示をするようにしても好ましい。
【００１５】
また、着脱可能な締付けバンドの形状の一例では、図３に示すようにハート型にデザインされた着脱可能な締付けバンド部３０の表面外周位置に装飾ビーズ５を縫い付けることにより、女性らしい装飾を施しファッション性を増大させることもできる。
【００１６】
この着脱可能な締付けバンド部の外形形状は、ダイヤ形にして男性らしさを強調させたり、ダブルハート型にしてペア性を強調させたり、種々の形状変更によりファッション性をもたせることができる。図示しないが、図３のファッション性をもたせた着脱可能な締付けバンド部の表面に前記表示部４を設け、ファッション性とオリジナル性を兼ね備えることもできる。
【図面の簡単な説明】
【００１７】
【図１】本考案の手袋における着脱可能な締付けバンド取付け構造の概略図。
【図２】本考案の着脱可能な締付けバンド部の一実施例を示す背面図。
【図３】本考案の着脱可能な締付けバンド部にファッション性をもたせた他の実施例を示す平面図。
【符号の説明】
【００１８】
１・・・・手袋本体部
２・・・・着脱可能な締付けバンド接着部
３・・・・着脱可能な締付けバンド
４・・・・個人を識別できる写真
３０・・・ファッション性を持たせた着脱可能な締付けバンド
５・・・・ファッション性を強調する装飾ビーズ
【図１】
0003120909.tif 000003
【図２】
0003120909.tif 000004
【図３】
0003120909.tif 000005
(57)【要約】      （修正有）【課題】痩身用のツボに鍼をうつ、又は金粒、ガラス粒を貼ることで痩身効果を促すスリムピアス、痩身のツボに貼るピアスを提供する。【解決手段】肌に接する金粒もしくはガラス粒１とテ−プ２と飾りの粒３を一体化した痩身用部品を予め作り、それを痩身のツボに貼ると見た目がお洒落になり、しかも施術の時間を大幅に短縮出来る。【選択図】図２
0003120962.tif 000002
【実用新案登録請求の範囲】
【請求項１】
体に分布している痩身（ダイエット）用のツボに貼り付けて痩身効果を促すためのもので、肌に接する刺激部分の金粒１とそれを固定するテープ２と飾りの粒３とが一体になった痩身用具
【請求項２】
特に耳介にある痩身のツボ、神門、胃点、飢点、肺点、血流に張り付けることで、耳ピアスのような装飾効果を出せる痩身用具
【請求項３】
肌に接する金粒１は、金をコ−ティングしたものもしくはガラスの粒を特徴とする請求項１に記載の痩身用具
【請求項４】
金粒を固定するテ−プ２は、肌への刺激が少ない低刺激性の接着剤を用いたもので、色は透明もしくは肌色、形状は丸もしくは四角形になった請求項１に記載の装身具
【請求項５】
飾りの粒３は、素材がガラス、アクリル、プラスチックである粒を用いた請求項１の痩身用具
【請求項６】
耳介にある痩身のツボ以外に手、足、腹部などの痩身のツボに貼ることで、ボディピアス様の装飾効果を持つおしゃれな痩身用具
【考案の詳細な説明】
【技術分野】
【０００１】東洋医学の痩身用のツボに鍼をうつ又は金粒を貼ることで痩身効果を促す
【背景技術】
【０００２】一定の長さに鋏で切ったテ−プに、金粒またはガラス粒を張り、それを痩身のツボに対し金粒等が肌に接する様に張り付ける
【考案の開示】
【考案が解決しようとする課題】
【０００３】従来の方法で痩身のツボに、施術をすると仕上がりがテ−プなので、人が外から見た時に、お洒落に見えない
又、施術者の作業が複数の工程を経るので、簡素化を図る
【課題を解決する手段】
【０００４】肌に接する金粒もしくはガラスの粒と固定するためのテ−プそして、飾りとなる粒を予め接着した一体化した痩身用具を作る
【考案の効果】
【０００５】痩身のツボに、これを貼る事によって従来どおりの痩身効果に加え、見た目がお洒落になる。また施術者の工程も１工程で済むので作業効率も大幅に改善出来る
【実施例】
【０００６】既に５０人以上を対象に耳の痩身用のツボに貼る実験をした
結果  ▲１▼全員が『ピアスをつけたようでお洒落』と喜んだ
▲２▼つけて喜ぶ女性の年齢は１０歳代から７０歳代と非常に広い
▲３▼施術時間は、従来一人あたり１０〜１５分要していたのに対し５〜７分と半減出来た
【図面の簡単な説明】
【０００７】
【図１】    スリムピアスを示した平面図
【図２】    スリムピアスを示した断面図
【符号の説明】
【０００８】    １  肌に接する金粒もしくはガラス粒
２  皮膚に低刺激性のテープ（色は透明、肌色）（形状は丸もしくは四角形）
３  飾りの粒を固定する接着剤
４  飾りの粒（素材はガラス、アクリル、プラスチック）
【図１】
0003120962.tif 000003
【図２】
0003120962.tif 000004
【手続補正書】
【提出日】平成17年11月25日(2005.11.25)
【手続補正１】
【補正対象書類名】実用新案登録請求の範囲
【補正対象項目名】全文
【補正方法】変更
【補正の内容】
【実用新案登録請求の範囲】
【請求項１】
体に分布している痩身（ダイエット）用のツボに貼り付けて痩身効果を促す為のもので、肌に接する刺激部分の金属粒またはガラス粒１と、それを肌に固定するテープ２そしてテープ２の上に飾りの粒３を接着して、３つの部品が一体となったもので、仕上がりのファッション性と、施術手順の簡素化を図った痩身用具
【請求項２】
肌に接する刺激部分に使用する粒１は、普通肌の人用には金をコーティングした粒を特徴とする請求項１に記載の痩身用具
【請求項３】
肌に接する刺激部分に使用する粒１は、敏感肌の人用には刺激を和らげるために、チタンを材料とする粒もしくはガラスの粒を特徴とする請求項１に記載の痩身用具
【請求項４】
肌に接する刺激部分に使用する粒１を、肌に固定するテープ２に用いる接着剤は肌への刺激が少ない低刺激性のもので、テープ２の色は透明もしくは肌色、形状は丸もしくは四角形になった請求項１に記載された痩身用具
【請求項５】
飾りの粒３は、素材がガラスもしくはアクリルあるいはプラスチックで作られたもので、固定するテープ２との接合面は平面状にカットし、密着度を高めるように加工し、全体の形状は光が当たった時にキラキラ輝くように多面体のカットを施したもの、もしくは宝石のように加工された形状の請求項１の痩身用具
(57)【要約】【課題】  本考案は折り畳み携帯買い物かごを使うことによってスーパー、デパートの買い物ビニール袋の消費量を抑えることができる。【解決手段】  本考案はスーパーなどの買い物かごの中の側面に４，４ａのフックで引っかけて収納させる。また、４と４ａのフックと６の固定用ゴムフックを使って買い物かごの外側にも収納することができる。【選択図】    図１
0003120961.tif 000002
【実用新案登録請求の範囲】
【請求項１】
買い物かごの中と外に収納できて経費削減を目的とすることを特徴とした折り畳み携帯買い物かご
【考案の詳細な説明】
【技術分野】
【０００１】本考案はフック付き折り畳み携帯買い物かごに関するものである。
【背景技術】
【０００２】スーパーやデパートなどでは商品を持ち帰る際にはビニール袋を使用している。
【考案の開示】
【考案が解決しようとする課題】
【０００３】スーパー、デパートなどのビニール袋の使用を無くして資源の枯渇を救う。
【課題を解決するための手段】
【０００４】本考案は買い物かごの中へ携帯買い物かごをフックで固定してから精算時に取り出して使用するが、スーパーやデパートの経費削減という問題点を解決している。
【考案の効果】
【０００５】上述の様にスーパーやデパートは迅速に業務が行えて、お客はビニール袋へ入れ替える手間がなくなる。
【考案を実施するための最良の形態】
【０００６】買い物かごの中に携帯買い物かごを入れて上部のフックで倒れないように固定させ、商品の精算時に取り出してから開いて使用する。
【実施例】
【０００７】  以下、添付図面に従って一実施例を説明する。折り畳み携帯買い物かごは耐久性のプラスチック等、適宣素材にて一体化形成されており、使用する際には買い物かごの内側へ入れて４と４ａで買い物かご側の横フレームにひっかける。買い物かごの外側へ収納する場合は４と４ａで買い物かご側の横フレームに引っかけて下部は６の固定ゴムで買い物かご側の四角い穴に挿入して固定させる。
【図面の簡単な説明】
【０００８】
【図１】本考案の折り畳み携帯買い物かごの一実施例を示す正面図である。
【図２】本折り畳み携帯買い物かごの折り畳む際の側面図である。
【符号の説明】
【０００９】  １  折り畳み携帯買い物かご本体
２  フレーム
３  手提げ取って
４  固定フック
５  収納ホック
６  固定用ゴム
【図１】
0003120961.tif 000003
【図２】
0003120961.tif 000004
【手続補正書】
【提出日】平成17年10月20日(2005.10.20)
【手続補正１】
【補正対象書類名】実用新案登録請求の範囲
【補正対象項目名】全文
【補正方法】変更
【補正の内容】
【実用新案登録請求の範囲】
【請求項１】
折り畳み携帯買い物かごの内側か外側に図面１、  ８と９のフックでスーパーのレジかごの上部フレームへ引っかけて、下部はスーパーレジかごの縦の桟の隙間に折り畳み携帯買い物かご本体の側面に取り付けている図面１、  １２の丸いイボ状のゴムを挿入して揺れないように固定させて使用する。
【手続補正書】
【提出日】平成18年1月18日(2006.1.18)
【手続補正１】
【補正対象書類名】実用新案登録請求の範囲
【補正対象項目名】全文
【補正方法】変更
【補正の内容】
【実用新案登録請求の範囲】
【請求項１】
スーパー、デパートなどのショッピング専用かごの内外面に専用のフックで固定させて収納が出来て、ナイロンやポリウレタン樹脂などから形成され、かご上部には収納時に内側に曲げられる取っ手を設けてあり、底部は広がらないようにホックやマジックテープ（登録商標）で留められる折り畳み携帯買い物かご。
(57)【要約】      （修正有）【課題】サイズを変えることにより、あらゆるエフェクターに対応できる、楽器用エフェクターの固定に使用する台座を提供する。【解決手段】プラスチックによる台座をつくり、そこにエフェクターをはめこみ、押し爪のプラスチック弾性力により固定させ、さらに四隅のビス止め用の小穴によって板等に固定する。【選択図】図１
0003120963.tif 000002
【実用新案登録請求の範囲】
【請求項１】
エフェクターを板、およびこれに類するものに固定させるための台座
【考案の詳細な説明】
【技術分野】
【０００１】本考案は楽器用（エレキギター、エレキベース、電子ピアノ等）エフェクターの固定に使用する台座に関するものである。
【背景技術】
【０００２】従来、楽器用（エレキギター、エレキベース、電子ピアノ等）のエフェクターをエフェクターボード上、およびケース内に置く場合固定の方法がマジックテープ、両面テープ等による固定であった。
【考案の開示】
【考案が解決しようとする課題】
【０００３】しかしこれでは不安定で、しばしば輸送中にはずれたしまったり器械等にキズがついたりと不便な場合がおおかった。
【課題を解決するための手段】
【０００４】本考案はその欠点を除くためになされたもので、それを図面について説明すればプラスチックの枠型を作り、（図１）さらに押し爪の圧力によって器械との固定度をますものである。
さらにその四辺にビス止め用の小穴をもうけてあり、ビスによって固定し脱着も容易である。（エフェクターと板等への固定、図１）
【考案の効果】
【０００５】本考案はこのような構造であるから、あらゆるタイプのエフェクターにたいしてサイズをかえればどのようなエフェクターでも固定できる。
【考案を実地するための最良の形態】
【０００６】本考案に係るエフェクター固定用台座は、図１に示すようにエフェクターを保持するための押し爪をそなえている。押し爪はエフェクターがはずれない程度に圧するプラスチックの弾性を利用する。
さらに板等に固定するためのビス用の小穴を四隅にもうけてある。
【０００７】これら台座の材料は、プラスチックなどの通常のものでよい。
またサイズを変えることにより、あらゆるエフェクターに対応できる。
【図面の簡単な説明】
【０００８】
【図１】本考案の斜視図
【図２】本考案の断面図
【図３】本考案の押し爪部分の拡大図（正面図）
【図４】本考案の押し爪部分の拡大図（斜視図）
【符号の説明】
１    押し爪
２    ビス止め用の穴
【図１】
0003120963.tif 000003
【図２】
0003120963.tif 000004
【図３】
0003120963.tif 000005
【図４】
0003120963.tif 000006
【手続補正書】
【提出日】平成18年1月6日(2006.1.6)
【手続補正１】
【補正対象書類名】実用新案登録請求の範囲
【補正対象項目名】全文
【補正方法】変更
【補正の内容】
【実用新案登録請求の範囲】
【請求項１】
一対の長片と、一対の短片と，底板とを有する固定枠であり、前記固定枠の一対の長辺にそれぞれ設けた押し爪と、
前記固定枠の底板の四辺から突出させて設けたビス止め用の小穴のあいた固定片と、
前記一対の短片のいずれか一方に設けた切り欠きと、
を備えたことを特徴とする楽器用エフェクターを固定させるための台座。
(57)【要約】      （修正有）【課題】液体を容器間で移し替える際，適宜の分量を移し替えることが困難であることが多いので，その不都合を解消する。【解決手段】液体送出管５の途中に設けられたバルブ２を使用する。バルブ２を開けば，液体流出口５から液体が流出される。バルブ２を閉めてエア抜き１でエアを抜き，液体受け３を取り付ける。取り付けた後，エア抜き１ＡでタンクＰのエアを抜く。エアポンプ８から送入されたエアは，エア送入口４を通り，タンクＰに入る。エア送入時に逆止弁７によって，エアの逆流を防ぐ。【選択図】図３
0003120966.tif 000002
【実用新案登録請求の範囲】
【請求項１】
容器に入った液体を他の容器に移し替えるために用い，液体の受け具を備えた液体移し替えポンプ。
【考案の詳細な説明】
【技術分野】
【０００１】本考案は，液体を容器間で移し替える器具に関するものである。ただし，密閉型に限るものとする。
【背景技術】
【０００２】従来は，タンクに口を付けて持ち上げ，他の容器に移し替えるか，他のポンプを用いていた。
【考案の開示】
【考案が解決しようとする課題】
【０００３】従来の方法では，移し替えた液体の分量が必用以上に多量すぎてしまうこともあり，また他のポンプを用いなければならないこともあった。
【課題を解決するための手段】
【０００４】そのために，本考案にかかる器具を容器のふたに取り付ければ，従来の課題が解決される。
【考案の効果】
【０００５】本考案にかかる器具によれば，液体の移し替え中に液体の流出入を自由かつ確実に止めることができ，容器に適合したふたがあれば，どの容器でも容易に移し替えができる。
【考案を実施するための最良の形態】
【０００６】バルブ２を開けば，液体流出口５から液体が流出される。バルブ２を閉めてエア抜き１でエアを抜き，液体受け３を取り付ける。取り付けた後，エア抜き１ＡでタンクＰのエアを抜く。エアポンプ８から送入されたエアは，エア送入口４を通り，タンクＰに入る。エア送入時に逆止弁７によって，エアの逆流を防ぐ。
【図面の簡単な説明】
【０００７】
【図１】本考案にかかる液体移し替えポンプを使用する時の状態を示した側面図。
【図２】液体受け具の側面図および液体送出管の断面図。
【図３】ポンプ全体の側面図。
【符号の説明】
【０００８】  Ｐ    液体の容器  １，１Ａ  エア抜き  ２    バルブ  ３    液体受け  ４    エア送入管  ５    液体送出管  ６    パッキング  ７    逆止弁  ８    エアポンプ  ９    容器のふた１０    容器のふた押さえ
【図１】
0003120966.tif 000003
【図２】
0003120966.tif 000004
【図３】
0003120966.tif 000005
【手続補正書】
【提出日】平成18年1月10日(2006.1.10)
【手続補正１】
【補正対象書類名】実用新案登録請求の範囲
【補正対象項目名】全文
【補正方法】変更
【補正の内容】
【実用新案登録請求の範囲】
【請求項１】
先端にエアーポンプを取り付けた空気送入管と途中にバルブを設けた液体送出管との組み合わせによる液体移し替えポンプ
【手続補正３】
【補正対象書類名】明細書
【補正対象項目名】０００７
【補正方法】変更
【補正の内容】
【０００７】
【図１】本考案にかかる液体移し替えポンプを使用する時の状態を示した側面図。
【図２】液体受け具の側面図および液体送出管の断面図。
【図３】ポンプ全体の側面図。
【図４】エアポンプを取り付けた側面の全体図
【手続補正４】
【補正対象書類名】図面
【補正対象項目名】図４
【補正方法】追加
【補正の内容】
【図４】
0003120966.tif 000006
(57)【要約】【課題】  一般的に雪吊は、素人では時間もかかるうえ、なかなか上手に出来ない困難な作業であり、職人に依頼した場合は高額な金額がかかってしまった。【解決手段】  頂冠具羽根に挿通孔をあけ、ナスカンを挿通孔に掛ける事により、素人でも高度な技術を必要とすることなく、簡単に雪吊が出来るようにする。【選択図】      図１
0003120967.tif 000002
【実用新案登録請求の範囲】
【請求項１】
挿通孔に掛けるナスカンにて挿通孔に引っ掛ける事により簡単に婦人、老人でも作業が出来るようにした雪吊セットの提案。
【考案の詳細な説明】
【技術分野】
【０００１】  本考案は、雪吊する際に職人に依頼しなくても簡単に出来るステンレス、金属類、プラスチック等の雪吊道具である。
【背景技術】
【０００２】  従来は、婦人老人でも手軽に雪吊する様な道具は見当たらなかった。
【考案の開示】
【考案が解決しようとする課題】
【０００３】  一般的に雪吊は、職人が縄等使用し高度な技術を必要としていたため、婦人老人では時間もかかるうえ、なかなか上手に出来ない困難な作業だった。
【課題を解決するための手段】
【０００４】  雪吊する場合に簡単且つ確実に作業が出来る雪吊りセットを用意する。
【考案の効果】
【０００５】  雪吊が簡単に作業出来るようになるため職人に依頼することなく婦人、老人でもいつでも簡単にできる。
【考案を実施するための最良の形態】
【０００６】考案の実施の形態を図１にもとづいて説明する。
【実施例１】
【０００７】  図１において、雪吊り頂冠具（１）に羽根（２）を複数付けその羽根（２）に挿通孔（３）を作り挿通孔にかけるナスカン（８）を掛ける。挿通孔（３）は各羽根（２）に一つずつあける。
頂冠具に接続した円筒（４）の内側の下部と支柱（５）の上部をネジ式にし、一体化させるようにする。また、枝吊りスプリング（７）を付けたことにより、弾力を持たせることができるため、枝への雪の重みを補助することができる。【０００８】  支柱（５）に東西南北の目印（１１）を付ける事により翌年も雪吊りワイヤ（６）を同じ枝に使用できる為、収める時にワイヤ（６）を頂冠具の挿通孔（３）からはずさなくてもよい為便利。【０００９】  ワイヤ（６）は数種類の長さの物を数段階用意し、吊枝までの長さを測った後、その中から適当な長さの物を使用する。【００１０】  以下、上記構成の使用方法を説明する。雪吊をする際、まず、支柱（５）に頂冠具（１）を取り付け、木の側に立て、縄（１２）で木に巻き付け、支柱（５）を固定する。頂冠具（１）から枝（１０）までの長さを測り、長さの合った挿通孔に掛けるナスカン（８）の付いたワイヤ（６）を選んで挿通孔（３）に掛ける。雪吊する枝（１０）全てに同じ繰り返しをする。その後、ワイヤ（６）を枝（１０）に巻き付け、後尾のナスカン（９）でもって枝元のワイヤ（６）に掛ける。
【図面の簡単な説明】
【００１１】
【図１】本考案道具の使用状態を表す図
【図２】頂冠具を支柱に取り付けた図
【図３】頂冠具示の鳥瞰図
【図４】頂冠具の断面
【図５】ワイヤの詳細図
【符号の説明】
【００１２】１  頂冠具
２  羽根
３  挿通孔
４  頂冠具に接続した円筒
５  支柱
６  ワイヤ
７  スプリング
８  挿通孔に掛けるナスカン
９  後尾のナスカン
１０  枝
１１  東、西、南、北、の目印
１２  縄
【図１】
0003120967.tif 000003
【図２】
0003120967.tif 000004
【図３】
0003120967.tif 000005
【図４】
0003120967.tif 000006
【図５】
0003120967.tif 000007
【手続補正書】
【提出日】平成18年1月7日(2006.1.7)
【手続補正１】
【補正対象書類名】実用新案登録請求の範囲
【補正対象項目名】全文
【補正方法】変更
【補正の内容】
【実用新案登録請求の範囲】
【請求項１】
頂冠具に挿通孔をあけ、ワイヤがついたナスカンをその挿通孔に引っ掛ける事により簡単に婦人、老人でも作業が出来るようにした雪吊セット。
(57)【要約】      （修正有）【課題】ポリ袋の大きさ毎に収納が可能となるようにし、ポリ袋の収納状況が外見より把握できるようにして、不使用時にスペースをとらない構造とし、投入と取出しを容易にする構造とした組立式紙製ポリ袋収納具の提供。【解決手段】（イ）１つの収納具で大きさの異なる２つ収納スペースを有する構造とした。（ロ）収納具を穴あけ構造とした。（ハ）紙製の組立式構造とした。（ニ）上部を傾斜構造とし、下部の取出し口部にはポリ袋落下防止処置を図り、取出しを容易にする構造とした。【選択図】図２
0003120965.tif 000002
【実用新案登録請求の範囲】
【請求項１】
組立式紙製ボード（１）を折畳みかつ穴あけ部（２）に突起部（３）を差込むことにより収納具本体（４）として組立てる。収納具本体（４）は２つの三角形状の筒状からなっている。収納具本体（４）には側面に穴あけ部（５）をそれぞれ設けて中が見れる構造を有する。収納具本体（４）上部には各三角形状の筒毎に壁掛け用の１個の穴を空ける。収納具本体（４）下部には各三角形状の筒毎に２個のポリ袋落下防止のための爪形状の切込み（６）を設けている。
【考案の詳細な説明】
【技術分野】
【０００１】  本考案はスーパー、コンビニ等において買い物を行った際に商品を入れるポリ袋等を使用後に再利用することを容易にするための収納具に関するものである。
【背景技術】
【０００２】  スーパー、コンビニ等における買い物時にその都度入手することになるため、従来より、家庭においては汎用の袋やボックス等において雑然と収納されていた。
【考案の開示】
【考案が解決しようとする課題】
【０００３】（イ）布製の袋は透過性がないことから内容物の大きさや種類、或いは量の多寡が外見からは把握しにくいとの欠点があった。
（ロ）プラスチック製ボックスは透過性はあるものの、ポリ袋の収納状態が煩雑となりやすく、取り出し時に目的とするポリ袋の取出しの容易性がないとの欠点があった。
（ハ）プラスチック製ボックス等のボックスは当初よりボックス形状として作成されているため、商品としては店頭に配列した場合多くのスペースを有すること、またノベルティー品としてみた場合には提供者及び受取者とも嵩があるため持ち運び時の煩わしさがあることが欠点としてあった。
（ニ）スーパー、コンビニ等における買い物時提供されるポリ袋は商品の大きさや量によりその袋の大きさには大小があるが、一つの収納具では大小のポリ袋が混納されるため、ポリ袋の大きさが識別できない収納形式となる欠点があった。
【課題を解決するための手段】
【０００４】（イ）ポリ袋の大きさ毎に収納が可能となるように１つの収納具で大きさの異なる２つ収納スペースを有する構造とした。
（ロ）ポリ袋の収納状況が外見より把握できるように、収納具を穴あけ構造とした。
（ハ）紙製の組立式とすることにより、不使用時にスペースをとらない構造とした。
（ニ）上部を傾斜構造として投入を容易とし、下部の取出し口部にはポリ袋落下防止処置を図り、取出しを容易にする構造とした。
【考案の効果】
【０００５】（イ）収納部が複数あることから、ポリ袋の大きさにより収納分けが可能となることから必要とするポリ袋の識別が容易となるため、ポリ袋のリサイクル使用が促進される。
（ロ）紙製による組立式であるために、不使用時にはスペースを取らないため、店頭での販売やノベルティー品として採用され易いものとなる。
（ハ）誰でも容易に組立が可能となる紙製の組立式であり、接合のための接着剤や針等の接合部品を必要としないため環境面でも優れている。
【考案を実施するための最良の形態】
【０００６】  以下に実施例を示す。実施例は現時点で最良と考えられる方法であるが、特殊な用途や内容物により形状や大きさが変わり得ることは言うまでも無い。
【実施例】
【０００７】  図１の組立式紙製ボードを用いる。
組立式紙製ボードは縦に４本の折り線を入れる。
折り線（ａ）及び（ｄ）には内容物が見えるように穴あけ部を設ける。穴あけ部は内容物の種類が識別できる程度の大きさを有することが望ましい。
両端部には左右対称部に接合用の突起部を４箇所程度設ける。突起部は楕円形状として引掛かり性の向上を図ることが望ましい。
中央部（求める２つの三角形状の大きさにより中央部は変わる）に突起物と同数の穴あけ部を設けて、両サイドの突起部を挿入することにより接合させる。
上部（最上部から２ｃｍ程度）には壁掛け用の穴を空ける。穴径の大きさは引掛かり性を考慮して５ｍｍから８ｍｍ程度が望ましい。
下部には各三角形状の筒部に２箇所づつポリ袋落下防止用の内折り部を設ける。設置位置は最下部より５ｃｍ程度の位置に幅１５ｍｍ程度、高さ２０ｍｍ程度が望ましい。
組立式紙製ボードの上辺はポリ袋の投入の容易性を考慮して、組立の仕上り形状が傾斜構造とするように左右部をＶ字形とする。
【図面の簡単な説明】
【０００８】
【図１】  組立式ポリ袋紙製収納具の展開図である。
【図２】  組立式ポリ袋紙製収納具の組立後の正面図である。
【図１】
0003120965.tif 000003
【図２】
0003120965.tif 000004
【手続補正書】
【提出日】平成18年1月28日(2006.1.28)
【手続補正１】
【補正対象書類名】実用新案登録請求の範囲
【補正対象項目名】全文
【補正方法】変更
【補正の内容】
【実用新案登録請求の範囲】
【請求項１】
一枚の厚紙を切り抜き、突起部、差し込み穴部を設け、筒状に組み立てることを特徴とする組立式紙製ポリ袋収納具。
【手続補正３】
【補正対象書類名】図面
【補正対象項目名】全図
【補正方法】変更
【補正の内容】
【図１】
0003120965.tif 000005
【図２】
0003120965.tif 000006
【手続補正４】
【補正対象書類名】明細書
【補正対象項目名】０００８
【補正方法】変更
【補正の内容】
【０００８】
【図１】は組立式紙ポリ袋収納具の斜視図
【図２】は組立式紙製ポリ袋収納具の組立前展開図
【符号の説明】
１…ポリ袋投入口
２…ポリ袋取出し口
３…残量確認窓
４…突起部
５…差し込み穴部
(57)【要約】【課題】本考案は、ひとつのホルダーでポケットを２つ作成し、それぞれ違うものを収納できる利便性とコスト軽減に優れた環境に優しいホルダーを提供するものである。【解決手段】本考案は、１枚の用紙を蛇腹状に折り、合わせ目部分を接着することによりポケットを２つ作成することで用紙の使用枚数を減らすことができ、尚且つそれぞれ違うものを収納することができる。【選択図】図３
0003120969.tif 000002
【実用新案登録請求の範囲】
【請求項１】
１枚の用紙でできたホルダーに２つのポケットを設け、それぞれ違う内容のものを収納できることを特徴とするダブルポケットホルダー。
【考案の詳細な説明】
【技術分野】
【０００１】  本考案は、１枚の用紙で２つのポケットを設けた、ホルダーに関するものである。
【背景技術】
【０００２】  従来、１枚の用紙でできたホルダーとしては、１つのポケットのものはあった。
【考案の開示】
【考案が解決しようとする課題】
【０００３】  従来のホルダーは、違う内容のものを同じポケットに収納するものであり、いろいろなものを収納したポケットから目当てのものを探し出すのに手間のかかる問題点があった。【０００４】  本考案は、従来の問題点を解決するもので、１枚の用紙でポケットを２つ作ることで、利便性とコスト軽減に優れたホルダーを提供するものである。
【課題を解決するための手段】
【０００５】  本考案は、１枚の用紙でポケットが２つあるホルダーを作成することで上記の問題を解決している。
【考案の効果】
【０００６】  上述の様に、本考案のダブルポケットホルダーは、ものを収納することは勿論、２つのポケットを設けているので、それぞれ違うものを収納することができる。【０００７】  また、１枚の用紙でできているので、コスト軽減、環境に優しい。
【考案を実施するための最良の形態】
【０００８】  １枚の用紙を蛇腹状に折り、合わせ目部分を接着することにより、ポケットを２つ作ることができる。
【実施例】
【０００９】  以下、添付図面に従って一実施例を説明する。図１はホルダーの展開図である。折る箇所、糊の箇所を示したイメージ図である。【００１０】  図２は図１をホルダー状にした平面図である。図３はホルダーの形状を示した斜視図である。
【図面の簡単な説明】
【００１２】
【図１】用紙１枚の展開図、糊の位置を示した斜視図である。
【図２】広げた状態、ポケットの位置を示した平面図である。
【図３】斜め前から見た状態を示した斜視図である。
【図１】
0003120969.tif 000003
【図２】
0003120969.tif 000004
【図３】
0003120969.tif 000005
【手続補正書】
【提出日】平成18年1月28日(2006.1.28)
【手続補正１】
【補正対象書類名】実用新案登録請求の範囲
【補正対象項目名】全文
【補正方法】変更
【補正の内容】
【実用新案登録請求の範囲】
【請求項１】
１枚の用紙を蛇腹状に折り、合わせ目部分を接着することにより、ホルダーにポケットが２つ作成され、それぞれ違う内容のものを収納できることを特徴とする１枚の用紙で出来たダブルポケットホルダー。
(57)【要約】      （修正有）【課題】自由回転座面装置取付けることでバランスを取り、背筋が張り正しい姿勢でなければ座れない状態を敢えて作る事で、座る事を意識でき尚かつ良い着座姿勢を維持できそれにより、眠気防止、学習や仕事時の集中力を高めることを可能にする自由回転座面椅子を提供する。【解決手段】上部に軸を持つベアリング内蔵の肩付き球形自在ローラー１０２とそれを包むカップリング１０３下部に、スプリング１０４を付けることにより、座面１００が非荷重の場合は球形自在ローラー上部がストッパーになり座面が水平状態を維持し、座面に荷重が加わると球形自在ローラーを包むカップリングが、下方移動することでストッパーからはずれ自由回転できる状態になることを、特徴とする正姿勢維持の自由回転座面装置を椅子座面に取付ける。【選択図】図４
0003120985.tif 000002
【実用新案登録請求の範囲】
【請求項１】
上部に軸を持つ肩付き球形自在ローラーとそれを包むカップリング下部に、スプリングを付けることにより、座面が非荷重の場合は球形自在ローラー肩部分がストッパーになり座面が水平状態を維持し、座面に荷重が加わると球形自在ローラーを包むカップリングが、下方移動することで肩部分がストッパーからはずれ自由回転できる状態になることを、特徴とする正姿勢維持の自由回転座面装置。
【考案の詳細な説明】
【考案の詳細な説明】
【技術分野】
【０００１】本考案は、着座姿勢を良くする為の正姿勢維持の自由回転座面装置に関するものである。
【背景技術】
【０００２】本来、椅子座面は固定された物である．又は、離着座の便利、能率を考え水平回転可能な座面を備えた椅子はありますが、本考案のように座面を自由回転させる装置はない。
【考案が解決しようとする課題】
【０００３】固定された座面の椅子は、足を片方上げても、両足上げても、座面からずり落ちるような位置に座ろうが、座面の片方に偏って座ろうが、猫背になっても、背を反らしても落ちる事はなく、いわばどんなに悪い姿勢であっても安定しており、椅子に座っていると意識しなくただ漫然と座っている状態が多い。
本考案の正姿勢維持の自由回転座面装置をつける事で、両足を肩幅ぐらいに広げ、足裏が床をしっかり捉え、お尻の位置は、自由回転座面装置の上に乗ることで三点支持ができバランスをとる。背筋が張り正しい姿勢でなければ座れない状態を敢えて作る事で、座る事を意識でき尚かつ良い着座姿勢を維持できそれにより、眠気防止、学習や仕事時の集中力を高めることを可能にする自由回転座面椅子を提供することを目的とする。
又、学習や仕事中のリラックス時には、バランスボール、フイットネスボールのように椅子に座ったままでバランスを取る運動なども可能な自由回転座面椅子を提供することを目的とする。
【考案を解決するための手段】
【０００４】上記課題を解決するために、本考案においては、球形自在ローラーに直接椅子座面を取付けるか、又は、上部に軸を持つ自由回転する肩付き球形自在ローラーとそれを包むカップリング下部に、スプリングを付けることにより、座面が非荷重の場合は球形自在ローラー上部がストッパーになり座面が水平状態を維持し、座面に荷重が加わると球形自在ローラーを包むカップリングが、下方移動することでストッパーからはずれ自由回転できる状態になることを、特徴とする正姿勢維持の自由回転座面装置を椅子座面に取付ける。
【考案を実施するための最良の形態】
【０００５】図１に示すように正姿勢維持の自由回転座面装置ユニット１０１は、円筒形で上部に球形自在ローラーの首部分より一回り大きい丸穴が開いており、上部に軸を持つ肩付き球形自在ローラー１０２を包むカップリング１０３下部に、スプリング１０４を入れてある。座面１００が非荷重の場合は、図２の状態のように肩付き球形自在ローラーの肩部分がユニット１０１の上部と接触することで自由回転を阻止する。座面１００に荷重が加わると肩付き球形自在ローラーを包むカップリング１０３が、下方移動してユニット内のストッパー１０４で停止、図３になる。この状態で座面は自由回転  図４が可能になる。
【考案の効果】
【０００６】上記説明から分かる用に、本考案の正姿勢維持の自由回転座面装置においては、敢えて正しい姿勢でなければ座れない状態を作る事で緊張感ある状態になり集中力が増す。就学児童生徒の姿勢を良くでき、視力の低下を防ぎ、学習仕事に望む意欲が向上する。
【図面の簡単な説明】
【図１】本考案の実施例による正姿勢維持の自由回転座面装置ユニットを通常の水平回転椅子の座面支持軸内部にいれた状態を表した斜視図である。
【図２】本考案の実施例による正姿勢維持の自由回転座面装置ユニットの非着座状態を示した断面図である。
【図３】本考案の実施例による正姿勢維持の自由回転座面装置ユニットの着座状態を示した断面図である。
【図４】通常の水平回転椅子の座面支持軸内部に自由回転座面装置ユニットを入れた状態での自由回転を表した断面図である。
【符号の説明】
１００  椅子座面
１０１  自由回転座面装置ユニット
１０２  上部に軸を持つ肩付き球形自在ローラー
１０３  球形自在ローラーを包むカップリング
１０４  スプリング
１０５  ユニット内のストッパー
１０６  通常の水平回転椅子の座面支持軸
【図１】
0003120985.tif 000003
【図２】
0003120985.tif 000004
【図３】
0003120985.tif 000005
【図４】
0003120985.tif 000006
(57)【要約】      （修正有）【課題】メンテナンスが不要で、容易に標本箱を作成することができる。【解決手段】標本となる昆虫の実物を撮った写真、または実物を描いたものを紙・プラスチック・布等の各種材質に印刷し，その昆虫の形状に切り抜くという方法により作成し，これを標本箱の底板と模型との間に台となるものを設けて配置し，また，模型の胴体と羽との角度をつけることにより立体的に見せる。【選択図】図１
0003120986.tif 000002
【実用新案登録請求の範囲】
【請求項１】
蝶・とんぼなど昆虫の実物を撮った写真、または実物を描いたものを紙・プラスチック・布等の各種材質に印刷し，その昆虫の形状に切り抜いて作る昆虫模型を使い，これを標本箱の底板と模型との間に台となるものを設けて配置し，また，模型の胴体と羽との角度をつけることにより立体的に見せる標本箱。
【考案の詳細な説明】
【技術分野】
【０００１】本発明は，標本箱を作成する技術に関する。
【背景技術】
【０００２】従来の標本箱は，標本となる昆虫を収集し，防腐処理を施して作成していた。
【考案が解決しようとする課題】
【０００３】しかし，従来の標本箱では，標本となる昆虫を収集するのに手間がかかり，収集後も防腐処理を施さなければならず，容易に標本箱を作成することができなかった。
【課題を解決するための手段】
【０００４】上記課題を解決するために，標本となる昆虫の実物を撮った写真、または実物を描いたものを紙・プラスチック・布等の各種材質に印刷し，その昆虫の形状に切り抜くという方法により作成し，これを標本箱の底板と模型との間に台となるものを設けて配置し，また，模型の胴体と羽との角度をつけることにより立体的に見せる。
【考案の効果】
【０００５】標本となる昆虫の模型を容易に作成でき，また，メンテナンスが不要な標本箱とすることができる。
【考案を実施するための最良の形態】
【０００６】作成キットとして子供の教材に使う。
【産業上の利用可能性】
【０００７】作成キットとして子供の教材に使う。【０００８】完成品をインテリアとする。
【図面の簡単な説明】
【０００９】
【図１】請求項１記載の標本箱を示した平面図である。
【図２】請求項１記載の標本箱を示したＡ−Ａ’断面図である。
【符号の説明】
【００１０】ａ  昆虫の写真を切り抜いたもの
ｂ  発泡スチロールなどで作った台
ｃ  昆虫の名前ラベル
ｄ  上面が透明な箱
【図１】
0003120986.tif 000003
【図２】
0003120986.tif 000004
(57)【要約】      （修正有）【課題】本の間に挟まれた枝折にアクセサリーを吊り下げファッション性を持たせる。【解決手段】パンチ穴２を開けた枝折１にその穴を通してアクセサリー４を結び付け、吊り下げて常時本の外側に露出させる。【選択図】図１
0003120982.tif 000002
【実用新案登録請求の範囲】
【請求項１】
紙やプラスチックの平板にアクセサリーを吊るす事を目的としたパンチ穴を開け、その穴を通してアクセサリーを吊り下げ、常時本の外側に露出させるのを特徴とする枝折
【請求項２】
紙やプラスチックの平板にパンチ穴を開け、環状の金具と平板をパンチ穴を通してヒモで結び合わせ、環状の金具にアクセサリーを吊るすのを特徴とする枝折
【請求項３】
紙やプラスチックの平板にパンチ穴を開け、その穴を補強する為の鳩目金具を嵌着させ鳩目金具を通して平板にアクセサリーを吊り下げるのを特徴とする枝折
【考案の詳細な説明】
【技術分野】
【０００１】  本考案はアクセサリーを吊り下げる枝折に関するものである。
【背景技術】
【０００２】  従来の枝折は本の間に挟み、次回本を開く時の目印にする事が主目的であり、本の続きを目出すには枝折を挿入しておくのみで事実上十分であった。【０００３】  しかし常時本の中に挟んだままの枝折は他人からは目視出来ず、個人の自己主張が全く出来ないという欠点があった。【０００４】  供給者側も、使用する人が個々に限定され、且つ、すぐに他のページに枝折をしまい込む為宣伝スペースを確保出来ないという問題もあった。【０００５】  この改善策として枝折の一部分を折り曲げ、外側に露出させ宣伝スペースを確保する方法もあるが、材質が柔らかい為、本の中に隠れてしまう可能性もある。
【考案の開示】
【考案が解決しようとする課題】
【０００６】  解決しようとする問題点は、個人の所有している枝折が他人から全く見えず、自己主張や宣伝が出来ない点である。
【課題を解決する為の手段】
【０００７】  本考案は、常時他人から全く見えない枝折にアクセサリーを吊り下げ不特定多数の人に見せるのを最も主要な特徴とする。
【考案の効果】
【０００８】  本考案のアクセサリー吊り下げ型枝折は、常時本の中に挟まれている枝折の代りにアクセサリーを付帯させる事で個人の自己満足を引き出したり、プレート状のアクセサリーに依り宣伝にも応用できる利点がある。
【考案を実施する為の最良の形態】
【０００９】  枝折のパンチ穴を通してアクセサリーを吊り下げる事により、枝折に付加価値が発生し、本を装飾して楽しむ為の一つのツールと成り得る。
【実施例】
【００１０】  添付図面に従い実施例を説明すると、
１は枝折本体、２はパンチ穴であり
図１、図２、図３とも同様である。
図１はアクセサリーをパンチ穴を通して結んだ物で、図２は企業や個人の発想により自由な付帯物を選択すべく環状の金具のみを吊り下げる事とした。
【図面の簡単な説明】
【００１１】
【図１】    本考案のアクセサリーを吊り下げた枝折の正面図である。
【図２】    本考案の環状の金具を吊り下げた枝折の正面図である。
【図３】    鳩目金具に依りパンチ穴を補強した枝折の正面図である。
【符号の説明】
【００１２】  １  枝折本体
２  パンチ穴
３  ヒモ
４  アクセサリー
５  環状の金具
６  鳩目金具
【図１】
0003120982.tif 000003
【図２】
0003120982.tif 000004
【図３】
0003120982.tif 000005
(57)【要約】【課題】  災害救助工具セットを屋外に設置する為防水性が求められる。工具類をより有効に活用する為、隙間を開けたり広げたりする為の工具が求められる。【解決手段】  工具収納ボックスを完全防水にする。 隙間を開けたり広げたりするのに最も有効な木製クサビを用いる。【選択図】  図２
0003120960.tif 000002
【実用新案登録請求の範囲】
【請求項１】
地震等の災害時における救助を目的とした工具類をセット化した工具収納ボックスで、特に屋外に設置する為に防水性を持たした事を特徴とする災害救助工具ボックスである。
【請求項２】
地震等の災害時における救助を目的とした工具類のセットに、木製のクサビを組み込んだ災害救助工具ボックスである
【考案の詳細な説明】
【技術分野】
【０００１】
本考案は、災害救助に必要な工具類をセット化し収納した災害救助ボックスである。
【背景技術】
【０００２】
工具セットが非防水であって、倉庫内等に保管されていたものが存在していた。
又、金属を主体とした工具をセット化したものが一般的である。
【考案の開示】
【考案が解決しようとする課題】
【０００３】
災害救助工具セットを屋外に設置する為防水性が求められる。
【０００４】
工具類をより有効に活用する為、隙間を開けたり広げたりする為の工具が求められる。
【０００５】
建築物などの外壁に取り付けなければならない。
【課題を解決するための手段】
【０００６】
工具収納ボックスを完全防水にする。
【０００７】
隙間を開けたり広げたりするのに最も有効な木製クサビを用いる。
【０００８】
建築物などの外壁と工具ボックス側面の金具を接続する。
【考案の効果】
【０００９】
本考案は、災害救助ボックスを屋外に設置でき、災害時に最も手っ取り早く工具を取り出し緊急時に対応する事が出来る。
【００１０】
木製クサビは多様な災害現場で工具類を有効に活用することを助ける。
【考案を実施するための最良の形態】
【００１１】
救助用工具類を収納ボックスに整然と収め、取り出し易いように、太い木ねじ、金具等をもって収納ボックスの内面に工具類をつり下げる。
【００１２】
木製クサビは図３、又は図４のように形成する。
【実施例】
【００１３】
倉庫、公民館などの建物の外壁と災害救助工具ボックス側面の金具を針金等により接続する。
【００１４】
微小な隙間にバール、カナテコバール等の先端を挿入してこじ開け、そこに木製クサビを打ち込む。
【００１５】
少し開いた隙間に木製クサビを打ち込み、より大きな隙間を開ける。
【図面の簡単な説明】
【００１６】
【図１】本考案の転倒防止装置付き災害救助ボックスの外観斜視図である。
【図２】本考案の災害救助に必要な工具類をセット化し収納した災害救助ボックスの斜視図である。
【図３】木製クサビの斜視図である
【図４】木製クサビの斜視図である
【符号の説明】
【００１７】
１  工具収納ボックス
２  工具収納ボックス扉
３  カナテコバール等工具
４  ハンマー等工具
５  木製クサビ
６  太い木ねじ
７  工具取り付け金具
８  ヘルメット
９  安全長靴
１０  小物工具入れボックス
１１  棚
１２  防塵マスク
１３  ロープ
１４  工具収納ボックス側面転倒防止金具
１５  針金
１６  外壁用転倒防止金具
１７  外壁
１８  ビス
１９  扉カギ
２０  表示シールプレート
【図１】
0003120960.tif 000003
【図２】
0003120960.tif 000004
【図３】
0003120960.tif 000005
【図４】
0003120960.tif 000006
【手続補正書】
【提出日】平成17年11月22日(2005.11.22)
【手続補正１】
【補正対象書類名】実用新案登録請求の範囲
【補正対象項目名】全文
【補正方法】変更
【補正の内容】
【実用新案登録請求の範囲】
【請求項１】
大地震などで建物等が倒壊され、人が倒壊物等の下敷きになった状況で救助する為の
図２の符号３の様なカナテコバール等を中心とした工具類を取り揃えセット化し図１の符号１工具収納ボックスに一括して収めた構造を有し、特に屋外に設置する為に防水性をもたらした事を特徴とする災害救助工具ボックスである。
【請求項２】
大地震などの災害時における救助を目的とした請求項１の工具類に、図３、図４の斜視図の様な形状を有した木製クサビを組み合わせた構造を有する災害救助工具ボックスである。
【手続補正書】
【提出日】平成18年2月8日(2006.2.8)
【手続補正１】
【補正対象書類名】実用新案登録請求の範囲
【補正対象項目名】全文
【補正方法】変更
【補正の内容】
【実用新案登録請求の範囲】
【請求項１】
大地震で建物が倒壊され、人が倒壊物の下敷きになった状況で救助する為のカナテコバール、ハンマーを中心とした工具類を取り揃えセット化し工具収納ボックスに一括して収めた構造を有し、特に屋外に設置する為に防水性をもたらした事を特徴とする災害救助工具ボックス。
【請求項２】
大地震の災害時において人を救助をする為のカナテコバール、ハンマーを中心とした工具類に、木製クサビを組み合わせた事を特徴とする請求項１に記載の災害救助工具ボックス。